(57)【要約】【課題】記憶している印刷データの中から再印刷する印刷データを、手間なく、かつ、適切に抽出し、再印刷することができる印刷装置を提供すること。【解決手段】ユーザから、かすれ領域の指示を受付けると（Ｓ２１２）、ＦＡＸデータメモリに記憶しているＦＡＸデータの中から、指示されたかすれ領域に印刷される画像を含むＦＡＸデータを抽出し（Ｓ２１３）、その抽出したＦＡＸデータを、トナーニアエンプティが回復したことを条件に（Ｓ２１４：Ｙｅｓ）、再印刷する（Ｓ２１５）。【選択図】図２
2012210735.tif 000002
【特許請求の範囲】
【請求項１】
外部装置から印刷データを取得する取得手段と、
その取得手段によって取得した印刷データに基づく画像を印刷用紙に印刷する印刷手段と、
前記取得手段によって取得した印刷データを記憶部に記憶する記憶手段と、
前記印刷用紙に対する特定領域の指定を受付ける受付手段と、
その受付手段によって受付けられた特定領域に印刷される画像を含む印刷データを、前記記憶部に記憶されている前記印刷手段によって印刷された印刷データの中から抽出する抽出手段と、
その抽出手段によって抽出された印刷データを、再印刷する第１再印刷手段とを備えていることを特徴とする印刷装置。
【請求項２】
前記印刷データは、前記取得手段によって外部装置との通信によって取得した通信単位で構成され、
前記抽出手段は、
前記印刷データに含まれるページ毎に、前記特定領域に印刷される画像を含む抽出対象ページかを判断する第１判断手段を備え、
その第１判断手段によって前記抽出対象ページであると判断された場合、その抽出対象ページを含む通信単位の印刷データを抽出することを特徴とする請求項１に記載の印刷装置。
【請求項３】
前記抽出手段は、
前記第１判断手段によって抽出対象ページであると判断されたページを、１８０度回転させる回転手段と、
その回転手段によって１８０度回転させたページが、前記特定領域に印刷される画像を含む抽出対象ページかを判断する第２判断手段とを備え、
その第２判断手段によって抽出対象ページであると判断された場合、その抽出対象ページを含む通信単位の印刷データを抽出することを特徴とする請求項２に記載の印刷装置。
【請求項４】
前記第２判断手段によって前記１８０度回転させたページが抽出対象ページでないと判断された場合、その１８０度回転させたページを、前記第１再印刷手段による再印刷よりも先に、再印刷する第２再印刷手段を備えていることを特徴とする請求項３に記載の印刷装置。
【請求項５】
前記第２再印刷手段は、前記印刷データに含まれるページのうち、前記１８０度回転させて再印刷するページ以外のページが、前記第１判断手段によって抽出対象ページでないと判断された場合に、前記１８０度回転させたページと、それ以外のページとを、前記第１再印刷手段による再印刷よりも先に、再印刷することを特徴とする請求項４に記載の印刷装置。
【請求項６】
前記第１判断手段によって抽出対象ページであると判断されたページが、前記印刷データに含まれない場合、その印刷データを前記記憶部から削除する第１削除手段を備えていることを特徴とする請求項２から５のいずれかに記載の印刷装置。
【請求項７】
前記第１再印刷手段または前記第２再印刷手段によって再印刷された印刷データを前記記憶部から削除する第２削除手段を備えていることを請求項１から６のいずれかに記載の印刷装置。
【請求項８】
印刷用紙の対向する２辺間において印刷用紙の搬送方向と交差する方向に延びるマークを印刷用紙に印刷するマーク印刷手段を備えていることを特徴とする請求項１から７のいずれかに記載の印刷装置。
【請求項９】
前記マーク印刷手段は、前記マークを複数区画に区画した態様で印刷すると共に、そのマークの各区画を示す特定情報を前記マークの各区画に対応つけて印刷し、
前記受付手段は、前記特定情報を介して前記特定領域を受付けることを特徴とする請求項８に記載の印刷装置。
【請求項１０】
印刷用紙に画像を印刷する印刷材料の残量を検出する検出手段を備え、
前記記憶手段は、前記検出手段によって印刷材料の残量が所定残量以下であることが検出されている間、前記印刷手段によって印刷した印刷データを前記記憶部に記憶すること特徴とする請求項１から９のいずれかに記載の印刷装置。
【請求項１１】
前記第１再印刷手段は、前記検出手段によって印刷材料の残量が前記所定残量よりも多いことが検出されたことを条件に、再印刷することを特徴とする請求項１０に記載の印刷装置。
【発明の詳細な説明】
【技術分野】
【０００１】
本発明は、印刷装置に関する。
【背景技術】
【０００２】
特許文献１には、ファクシミリ装置に関し、印刷済の受信データを記憶しておき、オペレータから指示された印刷済の受信データを再印刷することで、先の印刷出力で、かすれ等が発生していても、再印刷によって良好な印刷出力を得ることができる技術が記載されている。
【先行技術文献】
【特許文献】
【０００３】
【特許文献１】特開２０００−９２２９６号公報
【発明の概要】
【発明が解決しようとする課題】
【０００４】
しかしながら、上述した従来技術では、オペレータが先の印刷出力を確認した上で、再印刷する印刷データを指示する必要があり、オペレータにとって手間であるという問題点があった。
【０００５】
かといって、先の印刷出力を出力順に確認し、かすれ等が確認できた場合、それ以降の印刷出力は確認せず、全て再印刷として指示すると、再印刷不要なものまで再印刷する可能性がある。例えば、かすれ領域に画像が含まれないものは再印刷する必要はなく、これを再印刷すると、印刷用紙、インク、トナー等の消耗品が無駄に消費されるという問題点があった。
【０００６】
本発明は、上記の問題点を解決するためになされたものであり、記憶している印刷データの中から再印刷する印刷データを、手間なく、かつ、適切に抽出し、再印刷することができる印刷装置を提供することを目的とする。
【課題を解決するための手段】
【０００７】
この目的を達成するために、本発明の印刷装置は、外部装置から印刷データを取得する取得手段と、その取得手段によって取得した印刷データに基づく画像を印刷用紙に印刷する印刷手段と、前記取得手段によって取得した印刷データを記憶部に記憶する記憶手段と、前記印刷用紙に対する特定領域の指定を受付ける受付手段と、その受付手段によって受付けられた特定領域に印刷される画像を含む印刷データを、前記記憶部に記憶されている前記印刷手段によって印刷された印刷データの中から抽出する抽出手段と、その抽出手段によって抽出された印刷データを、再印刷する第１再印刷手段とを備えている。
【０００８】
尚、請求項１の抽出手段によって抽出される印刷データは、受付手段によって受付けられた特定領域に印刷される画像だけの印刷データではなく、受付手段によって受付けられた特定領域に印刷される画像を含む印刷データの全部である。
【０００９】
また、本発明は、印刷制御装置、該印刷制御装置を含む印刷装置、印刷制御方法、印刷制御装置を制御するコンピュータプログラム、該コンピュータプログラムを記録する記録媒体等の種々の態様で実現可能である。
【発明の効果】
【００１０】
請求項１記載の印刷装置によれば、印刷用紙に対する特定領域の指定を受付けると、記憶している印刷データの中から特定領域に印刷される画像を含む印刷データを抽出し、再印刷する。よって、例えば、特定領域として、かすれ領域を受付けると、記憶している印刷データの中から、かすれ領域に印刷される画像を含む印刷データを抽出し、再印刷する。よって、記憶している印刷データの中から再印刷する印刷データを、手間なく、かつ、適切に抽出し、再印刷することができるという効果がある。
【００１１】
請求項２記載の印刷装置によれば、印刷データに含まれるページ毎に、特定領域に印刷される画像を含む抽出対象ページかを第１判断手段によって判断し、抽出対象ページであった場合には、その抽出対象ページを含む通信単位の印刷データ毎に、印刷データを抽出し、再印刷する。よって、請求項１に記載の印刷装置の奏する効果に加え、再印刷するページを含む印刷データを、通信単位で抽出し、通信単位で再印刷できる。従って、先に印刷した通信単位の印刷出力から、再印刷したページを差し替える、という手間を省くことができるという効果がある。
【００１２】
請求項３記載の印刷装置によれば、第１判断手段によって抽出対象ページと判断されたページは、第２判断手段によって１８０度回転させても、特定領域に印刷される画像を含むと判断した場合に、その抽出対象ページを含む通信単位の印刷データを抽出し、再印刷する。よって、請求項２記載の印刷装置の奏する効果に加え、より適切に、再印刷する印刷データを抽出し、再印刷することができるという効果がある。
【００１３】
請求項４記載の印刷装置によれば、１８０度回転させたページが抽出対象ページでない、即ち、特定領域に印刷される画像を含まない、と判断した場合、その１８０度回転させたページを、第１再印刷手段による再印刷よりも先に再印刷する。よって、請求項３記載の印刷装置の奏する効果に加え、いち早く、再印刷が必要なページを再印刷することができるという効果がある。
【００１４】
請求項５記載の印刷装置によれば、１８０度回転させて再印刷するページ以外のページも、抽出対象ページでない場合に、１８０度回転させたページと、それ以外のページとを、第１再印刷手段による再印刷よりも先に再印刷する。よって、請求項４記載の印刷装置の奏する効果に加え、いち早く、再印刷するページ含む印刷データを、通信単位で再印刷することができるという効果がある。
【００１５】
請求項６記載の印刷装置によれば、第１判断手段によって抽出対象ページであると判断したページが、印刷データに含まれない場合、その印刷データは記憶部から削除する。かかる印刷データは、既に、良好な印刷品質で印刷出力されている可能性が高いので、再印刷不要である。よって、請求項２から５のいずれかに記載の印刷装置の奏する効果に加え、かかる印刷データを記憶部から削除することで、記憶部の消費容量を節約することができるという効果がある。
【００１６】
請求項７記載の印刷装置によれば、第１再印刷手段または第２再印刷手段によって再印刷した印刷データは記憶部から削除する。良好な印刷品質で再印刷されている可能性が高い。よって、請求項１から６のいずれかに記載の印刷装置の奏する効果に加え、かかる再印刷した印刷データを記憶部から削除することで、記憶部の消費容量を節約することができるという効果がある。
【００１７】
請求項８記載の印刷装置によれば、印刷用紙には、印刷用紙の対向する２辺間において印刷用紙の搬送方向と交差する方向に延びるマークを印刷する。よって、請求項１から７のいずれかに記載の印刷装置の奏する効果に加え、マークから、印刷用紙の搬送方向と交差する方向における印刷状態を確認することができる。従って、マークから、特定領域として、例えば、かすれ領域を特定することができるという効果がある。
【００１８】
請求項９記載の印刷装置によれば、マークは、複数区画に区画した態様で印刷すると共に、そのマークの各区画を示す特定情報をマークの各区画に対応つけて印刷する。そして、請求項８記載の印刷装置の奏する効果に加え、その特定情報を介して特定領域を受付けるので、特定領域を簡単に受付けることができるという効果がある。
【００１９】
請求項１０記載の印刷装置によれば、請求項１から９のいずれかに記載の印刷装置の奏する効果に加え、印刷材料の残量が所定残量以下であることが検出されている間に、印刷手段によって印刷した印刷データを記憶部に記憶するので、印刷済の印刷データを全て記憶部に記憶するよりも、記憶部の消費容量を節約することができるという効果がある。
【００２０】
請求項１１記載の印刷装置によれば、請求項１０記載の印刷装置の奏する効果に加え、抽出手段によって抽出した印刷データは、印刷材料の残量が所定残量よりも多いことが検出されたことを条件に再印刷するので、良好な印刷品質で再印刷することができるという効果がある。
【図面の簡単な説明】
【００２１】
【図１】本発明の実施形態である多機能周辺装置の電気的構成を示すブロック図である。
【図２】ＦＡＸデータ再印刷処理を示すフローチャートである。
【図３】（ａ）は、かすれ領域特定用のマークＭが印刷された印刷用紙を示す図であり、（ｂ）は、ＬＣＤに表示されるかすれ領域受付画面を示す図である。
【図４】ＦＡＸデータ検索処理を示すフローチャートである。
【図５】（ａ）は、回転前は、かすれ領域に画像を含むが、１８０度回転後は、かすれ領域に画像を含まないページの例を示す図であり、（ｂ）は、回転前も、１８０度回転後も、かすれ領域に画像を含むページの例を示す図である。
【発明を実施するための形態】
【００２２】
以下、本発明の好ましい実施形態について、添付図面を参照して説明する。図１は、本発明の印刷装置の一実施形態である多機能周辺装置（以下、「ＭＦＰ（Ｍｕｌｔｉ  Ｆｕｎｃｔｉｏｎ  Ｐｅｒｉｐｈｅｒａｌ）」と称す）１の電気的構成を示したブロック図である。ＭＦＰ１は、コピー機能、ファクシミリ機能、スキャン機能、プリンタ機能、などの各種機能を有している。
【００２３】
ＭＦＰ１は、特に、記憶されている印刷済のファクシミリデータ（以下「ＦＡＸデータ」と称す）の中から、先の印刷出力で、かすれが発生しているＦＡＸデータを、手間なく、かつ、適切に抽出し、その抽出したＦＡＸデータを良好な印刷品質で再印刷することができるものである。
【００２４】
ＭＦＰ１には、ＣＰＵ１０、ＲＯＭ１１、ＲＡＭ１２、フラッシュメモリ１４、操作キー１５、ＬＣＤ１６、タッチパネル１７、スキャナ２０、プリンタ２１、トナー残量センサ２２、ＮＣＵ２３、モデム２４、ネットワークＩ／Ｆ２５が主に設けられている。
【００２５】
ＣＰＵ１０、ＲＯＭ１１、ＲＡＭ１２、フラッシュメモリ１４は、バスライン２７を介して互いに接続されている。また、操作キー１５、ＬＣＤ１６、タッチパネル１７、スキャナ２０、プリンタ２１、トナー残量センサ２２、ＮＣＵ２３、モデム２４、ネットワークＩ／Ｆ２５、バスライン２７は、入出力ポート２８を介して互いに接続されている。
【００２６】
ＣＰＵ１０は、ＲＯＭ１１やフラッシュメモリ１４に記憶される固定値やプログラム、ＲＡＭ１２に記憶されているデータ、或いは、ＮＣＵ２３を介して送受信される各種信号に従って、ＭＦＰ１が有している各機能の制御や、入出力ポート２８と接続された各部を制御する。
【００２７】
ＲＯＭ１１は、ＦＡＸデータ再印刷プログラム１１ａが設けられた書換不能なメモリである。ＣＰＵ１０は、ＦＡＸデータ再印刷プログラム１１ａに従い、後述するＦＡＸデータ再印刷処理（図２）、ＦＡＸデータ検索処理（図４）を実行する。ＲＡＭ１２は、書換可能な揮発性のメモリである。
【００２８】
フラッシュメモリ１４は、書換可能な不揮発性のメモリであり、ＦＡＸデータメモリ１４ａ、回転データメモリ１４ｂ、回転フラグ１４ｃが設けられている。
【００２９】
ＦＡＸデータメモリ１４ａは、受信したＦＡＸデータを記憶するメモリであり、トナー残量が所定量（以下、「トナーニアエンプティ」と称す）以下になった後で、受信、印刷したＦＡＸデータを、保証データとして記憶する。よって、印刷済のＦＡＸデータに、かすれが発生しても、後から、印刷済のＦＡＸデータを再印刷することができる。尚、記憶しているＦＡＸデータは、トナーニアエンプティが回復したこと（トナーが補充、トナーカートリッジが交換されたこと）を条件に、再印刷後、消去される。
【００３０】
回転データメモリ１４ｂは、ＦＡＸデータメモリ１４ａに記憶されているＦＡＸデータの所定ページを、１８０度回転させた回転後のページを記憶するメモリである。ＦＡＸデータに含まれるページによっては、回転前の状態では、かすれ領域に画像が印刷されてしまうが、１８０度回転させることで、かすれ領域に画像が印刷されないページがある。回転データメモリ１４ｂは、そのようなページについて、１８０度回転させた回転後のページを記憶する。
【００３１】
回転フラグ１４ｃは、ＦＡＸデータメモリ１４ａに記憶されるＦＡＸデータのうち、回転後のページで再印刷するページを含むＦＡＸデータかを示す。回転後のページを回転データメモリ１４ｂに記憶する場合、その回転後のページを含むＦＡＸデータに対応つけて回転フラグ１４ｃを「オン」に設定する。
【００３２】
操作キー１５は、ユーザからの指示を受付ける押しボタンであり、例えば、スタートキー、テンキー等で構成され、操作キー１５を介してユーザからの指示を受付けることができる。ＬＣＤ１６は、液晶表示装置であり、操作手順、ユーザへのコメント等を表示する。タッチパネル１７は、ＬＣＤ１６の画面全域に設けられ、ユーザがタッチしたＬＣＤ１６の画面上の位置を検出する。ＣＰＵ１０は、タッチした位置に応じてユーザからの指示を受付けることができる。
【００３３】
スキャナ２０は、ファクシミリ機能、スキャン機能、又は、コピー機能の実行時に、原稿を読み取って電子データに変換する読取動作を行う。プリンタ２１は、ファクシミリ機能、プリンタ機能の実行時に、印刷用紙に画像を印刷する印刷動作を行う。
【００３４】
プリンタ２１は、レーザー方式によって印刷用紙に画像を形成するものであり、このレーザー方式では、トナーニアエンプティ以下になると、印刷用紙のうち所定の領域に印刷される画像に、かすれが発生する事がある。そこで、トナーニアエンプティ以下になった場合には、その後に、受信、印刷したＦＡＸデータをＦＡＸデータメモリ１４ａに記憶しておき、後から、再印刷できるように構成されている。
【００３５】
トナー残量センサ２２は、トナー残量を検出するものであり、トナーニアエンプティになったか、トナーニアエンプティが回復したかは、トナー残量センサ２２によって検出されるトナー残量によって判断される。尚、トナー残量は、直接検出しても、トナー消費量から間接的に検出しても良い。
【００３６】
ＮＣＵ２３は、電話回線の制御を行うものである。モデム２４は、ファクシミリ送信時には送信信号を電話回線での伝送に適した形態に変調し、一方、ファクシミリ受信時には電話回線から送られてきた変調信号を復調する。ネットワークＩ／Ｆ２５は、ＭＦＰ１を図示しないインターネットやＬＡＮ回線に接続するためのインターフェイスである。
【００３７】
図２は、ＦＡＸデータ再印刷処理を示すフローチャートである。この処理は、ＭＦＰ１のＣＰＵ１０が実行する処理であり、主に、ＦＡＸデータメモリ１４ａに、１０通信分のＦＡＸデータが記憶される度に、ＦＡＸデータメモリ１４ａに記憶されているＦＡＸデータの中から、再印刷するＦＡＸデータを抽出し、再印刷する処理である。
【００３８】
ＣＰＵ１０は、ＦＡＸデータを受信し（Ｓ２０１）、トナーニアエンプティでなければ（Ｓ２０２：Ｎｏ）、受信したＦＡＸデータを印刷し（Ｓ２０３）、本処理を終了する。一方、トナーニアエンプティであれば（Ｓ２０２：Ｙｅｓ）、印刷出力が、かすれる可能性があるため、ＦＡＸデータをＦＡＸデータメモリ１４ａに記憶し（Ｓ２０４）、再印刷可能な状態にする。即ち、ＣＰＵ１０は、トナーエンプティである間に、受信したＦＡＸデータをＦＡＸデータメモリ１４ａに記憶する。
【００３９】
ＣＰＵ１０は、記憶したＦＡＸデータが、１０Ｎ通信目のＦＡＸデータかを判断する（Ｓ２０５）。ここで、１０Ｎ通信目のＦＡＸデータとは、Ｎを整数とし、１０通信目、２０通信目、３０通信目・・・に記憶したＦＡＸデータであることを意味する。
【００４０】
即ち、ＣＰＵ１０は、１０通信分のＦＡＸデータを、ＦＡＸデータメモリ１４ａに記憶する度に、カウント値Ｎを＋１カウントアップし、１０通信分のＦＡＸデータを記憶する度に、Ｓ２０６以降の処理を実行する。尚、１０通信毎に限定されず、１通信毎、５通信毎等、何通信毎にも設定可能である。
【００４１】
ＣＰＵ１０は、１０Ｎ通信目のＦＡＸデータでなければ（Ｓ２０５：Ｎｏ）、受信したＦＡＸデータを印刷し（Ｓ２０３）、本処理を終了する。一方、ＣＰＵ１０は、１０Ｎ通信目のＦＡＸデータであれば（Ｓ２０５：Ｙｅｓ）、１０Ｎ通信目のＦＡＸデータの最終ページに、かすれ領域特定用のマークＭを付加し（Ｓ２０６）、１０Ｎ通信目のＦＡＸデータを印刷し（Ｓ２０７）、かすれ領域受付画面をＬＣＤ１６に表示する（Ｓ２０８）。ここで、図３を参照しながら、かすれ領域特定用のマークＭ、かすれ領域受付画面について説明する。図３（ａ）は、かすれ領域特定用のマークＭを示す図であり、図３（ｂ）は、かすれ領域受付画面を示す図である。
【００４２】
図３（ａ）に示す通り、マークＭは、印刷用紙Ｐの端部（印刷用紙Ｐの搬送方向ＬＦの上流側）に、印刷用紙Ｐの対向する２辺間において印刷用紙Ｐの搬送方向ＬＦと直交する方向に延びる所定太さの直線で印刷される。また、マークＭは、印刷用紙Ｐの搬送方向ＬＦと直交する方向に４つに区画された態様で印刷され、左から順番に「１」〜「４」の区画番号が、各区画に対応つけられた態様で印刷される。
【００４３】
このマークＭの印刷状態から、ユーザは、印刷用紙Ｐに対し、かすれ領域（印刷用紙Ｐを搬送方向ＬＦに４つ分けた各領域）を特定することができる。尚、マークＭは、かすれ領域を特定できる印刷態様であれば、例えば、区画毎に切れ目が入った点線、波線等でも良い。
【００４４】
図３（ｂ）に示す通り、かすれ領域受付画面では、「１」〜「４」の各欄、「全体」欄、「なし」欄が表示される。「１」〜「４」の各欄は、マークＭの各区画に対応し、ユーザから、「１」〜「４」のいずれかの欄がタッチされると、そのタッチされた欄に対応する区画によって特定される領域を、かすれ領域として受付ける。
【００４５】
例えば、「１」欄がタッチされると、印刷用紙Ｐの最左側領域をかすれ領域、「１」欄と「４」欄とがタッチされると、印刷用紙の最左側領域と最右側領域とをかすれ領域として受付ける。かすれ領域を受付けた場合、以前の印刷出力においても、受付けたかすれ領域に画像が含まれる印刷出力については、かすれが発生している可能性が高い。換言すれば、受付けたかすれ領域に画像を含まない印刷出力については、かすれが発生している可能性が低い。
【００４６】
「全体」欄は、マークＭの全区画を意味し、ユーザから「全体」欄がタッチされると、印刷用紙全体を、かすれ領域として受付ける。この場合、以前の印刷出力の全てに、かすれが発生している可能性が高い。「なし」欄は、かすれ領域が無いことを意味し、「なし」欄がタッチされると、印刷用紙にかすれ領域が無いことを受付ける。この場合、以前の印刷出力にも、かすれ領域が無い可能性が高い。
【００４７】
図２に戻り、説明を続ける。ＣＰＵ１０は、マークＭを付加したＦＡＸデータを印刷し（Ｓ２０７）、かすれ領域受付画面を表示すると（Ｓ２０８）、「なし」欄がタッチされたかを判断する（Ｓ２０９）。
【００４８】
ＣＰＵ１０は、「なし」欄がタッチされたと判断した場合（Ｓ２０９：Ｙｅｓ）、かすれ領域が無いことを受付ける。この場合は、１０Ｎ通目以前のＦＡＸデータの印刷出力にも、かすれ領域が無い可能性が高く、ＦＡＸデータメモリ１４ａに記憶されているＦＡＸデータを、再印刷する必要性は低い。そのため、ＣＰＵ１０は、念のため、記憶されているＦＡＸデータ（１０Ｎ通信分のＦＡＸデータ）を削除するかを、ユーザに確認すべく、ＦＡＸデータ削除確認画面をＬＣＤ１６に表示する（Ｓ２１０）。
【００４９】
その結果、ＣＰＵ１０は、ユーザから「削除ＯＫ」の指示が入力されたと判断した場合に（Ｓ２１１：Ｙｅｓ）、記憶されているＦＡＸデータを削除し（Ｓ２１６）、本処理を終了する。これにより、ＦＡＸデータメモリ１４ａの消費容量を節約することができる。尚、ＣＰＵ１０は、「削除しない」の指示が入力されと判断した場合（Ｓ２１１：Ｎｏ）、記憶されているＦＡＸデータは削除せず、本処理を終了する。
【００５０】
一方、ＣＰＵ１０は、「なし」欄がタッチされず（Ｓ２０９：Ｎｏ）、「１」〜「４」欄のいずれかがタッチされたと判断した場合（Ｓ２１２：Ｙｅｓ）、そのタッチされた欄に対応する領域を、かすれ領域として受付け、図４において後述するＦＡＸデータ検索処理を実行し（Ｓ２１３）、Ｓ２１４の処理に移行する。
【００５１】
尚、図４において後述するＦＡＸデータ検索処理によって（Ｓ２１３）、ＦＡＸデータメモリ１４ａに記憶されているＦＡＸデータの中から、Ｓ２１２の処理で受付けたかすれ領域に画像を含むＦＡＸデータが抽出される。即ち、再印刷が必要である適切なＦＡＸデータが抽出される。
【００５２】
一方、ＣＰＵ１０は、「１」〜「４」欄のいずれもがタッチされないと判断した場合（Ｓ２１２：Ｎｏ）、即ち、「全体」欄がタッチされたと判断した場合には、記憶されているＦＡＸデータの全てに、かすれが発生している可能性があるとして、ＦＡＸデータ検索処理を行うことなく（Ｓ２１３）、Ｓ２１４の処理に移行する。
【００５３】
Ｓ２１４の処理に移行すると、ＣＰＵ１０は、トナーニアエンプティが回復したかを判断し（Ｓ２１４）、回復していれば（Ｓ２１４：Ｙｅｓ）、良好な印刷品質で再印刷出力できるとして、ＦＡＸデータ検索処理（Ｓ２１３）によって抽出されたＦＡＸデータを再印刷する（Ｓ２１５）。そして、ＦＡＸデータメモリ１４ａに記憶されているＦＡＸデータを削除し（Ｓ２１６）、本処理を終了する。尚、Ｓ２１６の処理において、ＦＡＸデータを削除した場合には、Ｓ２０５で使用するカウント値Ｎを「１」に設定する。なお、トナーニアエンプティは、ユーザによりトナーが充填された場合や、トナーカートリッジが交換された場合などに解消される。
【００５４】
このように、ＦＡＸデータ再印刷処理では、ユーザは「かすれ領域を指示する」という簡単な操作をすれば、ＦＡＸデータ検索処理によって（Ｓ２１３）、ＦＡＸデータメモリ１４ａに記憶されているＦＡＸデータの中から、指示されたかすれ領域に画像を含むＦＡＸデータ（再印刷が必要である適切なＦＡＸデータ）が抽出される。そして、その抽出されたＦＡＸデータは、トナーニアエンプティが回復したことを条件に（Ｓ２１４：Ｙｅｓ）、再印刷される（Ｓ２１５）。
【００５５】
よって、ＦＡＸデータメモリ１４ａに記憶されているＦＡＸデータの中から、再印刷するが印刷データを、手間なく、かつ、適切に抽出し、良好な印刷品質で再印刷することができる。また、再印刷する場合には、通信単位のＦＡＸデータ毎に再印刷するので、先に印刷した通信単位の印刷出力から（Ｓ２０３，Ｓ２０７）、再印刷したページを差し替える、という手間を省くことができる。
【００５６】
尚、ＣＰＵ１０は、トナーニアエンプティが、回復していない場合には（Ｓ２１４：Ｎｏ）、再印刷しても、かすれを解消できないので、再印刷（Ｓ２１５）、ＦＡＸデータの削除をせず（Ｓ２１６）、本処理を終了する。これにより、トナーエンプティが回復するまでは（Ｓ２１４：Ｙｅｓ）、ＦＡＸデータメモリ１４ａに記憶されているＦＡＸデータは削除されないので、ＦＡＸデータの再現を保証することができる。
【００５７】
図４は、ＦＡＸデータ検索処理を示すフローチャートである（図２のＳ２１３）。この処理は、ＦＡＸデータメモリ１４ａに記憶されているＦＡＸデータから、図２に示すＳ２１２の処理で受付けたかすれ領域に画像を含むＦＡＸデータを抽出する処理である。
【００５８】
換言すれば、この処理は、ＦＡＸデータメモリ１４ａに記憶されているＦＡＸデータのうち、図２に示すＳ２１２の処理で受付けたかすれ領域に画像を含むＦＡＸデータは、ＦＡＸデータメモリ１４ａに記憶したままにし、それ以外のＦＡＸデータをＦＡＸデータメモリ１４ａから削除する処理である。
【００５９】
このＦＡＸデータ検索処理によって（Ｓ２１３）、トナーエンプティが回復しなければ、良好な印刷品質で再印刷できないＦＡＸデータ、即ち、再印刷が必要である適切なＦＡＸデータが抽出される（ＦＡＸデータメモリ１４ａに記憶したままとされる）。
【００６０】
まず、ＣＰＵ１０は、ＦＡＸデータメモリ１４ａに記憶されているＦＡＸデータの中から１のＦＡＸデータを特定し（Ｓ４０１）、その特定した１のＦＡＸデータに含まれる１のページを特定する（Ｓ４０２）。尚、Ｓ４０１で特定する１のＦＡＸデータは、ＦＡＸデータメモリ１４ａに記憶されているＦＡＸデータの中から通信順、即ち、受信日時が早いＦＡＸデータから順番に特定する。
【００６１】
次に、ＣＰＵ１０は、特定したページが、図２のＳ２１２で受付けたかすれ領域に画像を含むと判断した場合（Ｓ４０３：Ｎｏ）、即ち、そのページは、既に、良好な印刷品質で印刷出力されているとして、Ｓ４０４〜Ｓ４０７までの処理をせず、Ｓ４０８の処理に移行し、次ページが有れば（Ｓ４０８：Ｙｅｓ）、Ｓ４０２からの処理を繰り返す。
【００６２】
一方、ＣＰＵ１０は、Ｓ４０２で特定したページが、かすれ領域に画像を含むと判断した場合（Ｓ４０３：Ｙｅｓ）、そのページは、先の印刷出力で、かすれている可能性があるとして、その特定したページを１８０度回転させ（Ｓ４０４）、回転後のページが、かすれ領域に画像を含むかを判断する（Ｓ４０５）。
【００６３】
即ち、ＣＰＵ１０は、Ｓ４０２で特定したページが、回転前は、かすれ領域に画像を含むが、１８０度回転後は、かすれ領域に画像が含まれないページであるかを判断する。この例を、図５を参照して、説明する。
【００６４】
図５（ａ）は、回転前は、かすれ領域に画像を含むが、１８０度回転後は、かすれ領域に画像が印刷されないページの例、図５（ｂ）は、回転前も、１８０度回転後も、かすれ領域に画像を含むページの例を示す図である。
【００６５】
図５（ａ）、（ｂ）では、左側を回転前のページ、右側を１８０度回転させた回転後のページとし、ページ左半分が、かすれ領域（斜線部分参照）として受付けたとする。また、図５（ａ）は、印刷用紙Ｐの長手方向に沿って並ぶ「ＡＡＡＡ」、図５（ｂ）では、印刷用紙Ｐの短手方向に沿って並ぶ「ＡＡＡＡ」を、印刷される画像として図示している。
【００６６】
図５（ａ）に示すページは、回転前は、かすれ領域に画像「ＡＡＡＡ」を含むが、回転後は、かすれ領域に画像「ＡＡＡＡ」が含まれないページである。一方、図５（ｂ）に示すページは、回転前も、１８０度回転後も、かすれ領域に画像「ＡＡＡＡ」が含まれるページである。
【００６７】
再び、図４に戻って、説明を続ける。ＣＰＵ１０は、回転後のページが、かすれ領域に画像を含まないと判断した場合（Ｓ４０５：Ｎｏ）、そのページは、トナーエンプティの回復を待たなくても、回転後の状態で再印刷すれば、かすれ領域に画像が含まれないページである。
【００６８】
よって、この場合、ＣＰＵ１０は、回転後のページを、回転前のページと対応つけて回転データメモリ１４ｂに記憶し（Ｓ４０６）、特定されているＦＡＸデータに対応つけて回転フラグ１４ｃを「オン」にし（Ｓ４０７）、次ページが有れば（Ｓ４０８：Ｙｅｓ）、Ｓ４０２からの処理を繰り返す。
【００６９】
こうして、ＣＰＵ１０は、Ｓ４０１で特定した１のＦＡＸデータに含まれる各ページについて、Ｓ４０２〜Ｓ４０８の処理を実行した後（Ｓ４０８：Ｎｏ）、そのＦＡＸデータの全ページにおいて、かすれ領域に画像を含まないと判断した場合（Ｓ４０９：Ｎｏ）、即ち、回転フラグが「オフ」である場合は（Ｓ４０９：Ｎｏ）、Ｓ４０１で特定したＦＡＸデータをＦＡＸデータメモリ１４ａから削除する（Ｓ４１０）。
【００７０】
尚、Ｓ４０９の処理の後であって、Ｓ４１０の処理の前に、Ｓ４０１で特定したＦＡＸデータをＦＡＸデータメモリ１４ａから削除するかを、ユーザに確認する確認画面をＬＣＤ１６に表示する。ユーザから「削除ＯＫ」が入力された場合に、Ｓ４０１で特定したＦＡＸデータをＦＡＸデータメモリ１４ａから削除する（Ｓ４１０）。ユーザから「削除ＯＫ」が入力されなかった場合は、削除せず（Ｓ４１０）、Ｓ４１４の処理に移行するように構成しても良い。
【００７１】
その後、ＣＰＵ１０は、Ｓ４０１で特定した１のＦＡＸデータが、１０Ｎ通信目のＦＡＸデータかを判断し（Ｓ４１４）、１０Ｎ通信目のＦＡＸデータでなければ（Ｓ４１４：Ｎｏ）、Ｓ４０１からの処理を繰り返し、１０Ｎ通信目のＦＡＸデータであれば（Ｓ４１４：Ｙｅｓ）、本処理を終了する。
【００７２】
このように、ＣＰＵ１０は、通信単位のＦＡＸデータの全ページにおいて、かすれ領域に画像を含まない場合には（Ｓ４０９：Ｎｏ）、そのＦＡＸデータを削除することで（Ｓ４１０）、ＦＡＸデータメモリ１４ａの消費容量を節約することができる。
【００７３】
一方、ＣＰＵ１０は、Ｓ４０１で特定した１のＦＡＸデータに含まれる各ページについて、Ｓ４０２〜Ｓ４０８の処理を実行した後（Ｓ４０８：Ｎｏ）、そのＦＡＸデータに対応つけられた回転フラグ１４ｃが「オン」である場合には（Ｓ４０９：Ｙｅｓ）、次の処理を行う。
【００７４】
即ち、ＣＰＵ１０は、回転前のページに対応つけられている回転後のページを、回転前のページに上書し（Ｓ４１１）、上書きしたＦＡＸデータ（上書したページを含むＦＡＸデータの全ページ）を再印刷し（Ｓ４１２）、再印刷したＦＡＸデータをＦＡＸデータメモリ１４ａから削除する（Ｓ４１３）。
【００７５】
その後、ＣＰＵ１０は、Ｓ４０１で特定した１のＦＡＸデータが、１０Ｎ通信目のＦＡＸデータかを判断し（Ｓ４１４）、１０Ｎ通信目のＦＡＸデータでなければ（Ｓ４１４：Ｎｏ）、Ｓ４０１からの処理を繰り返し、１０Ｎ通信目のＦＡＸデータであれば（Ｓ４１４：Ｙｅｓ）、本処理を終了する。
【００７６】
このように、ＣＰＵ１０は、回転後のページを含むＦＡＸデータを、再印刷し（Ｓ４１２）、削除する（Ｓ４１３）。よって、回転後のページを含むＦＡＸデータは、ＦＡＸデータメモリ１４ａに記憶したままとする（抽出ＦＡＸデータとしない）。
【００７７】
即ち、回転後のページを含むＦＡＸデータは、図２のフローチャートに示す、トナーニアエンプティが回復したことを条件に（Ｓ２１４：Ｙｅｓ）、再印刷（Ｓ２１５）、削除（Ｓ２１６）の対象としない。従って、回転後のページを含むＦＡＸデータを、ドナーエンプティの回復を待つことなく（Ｓ２１３：Ｙｅｓ）、いち早く、かすれが解消された良好な印刷品質で再印刷することができる。
【００７８】
換言すれば、回転後のページを含むＦＡＸデータを削除することで（Ｓ４１３）、正に、再印刷が必要である適切なＦＡＸデータを、ＦＡＸデータメモリ１４ａに記憶したままとすることができる。
【００７９】
また、回転後のページを再印刷する場合、回転後のページだけでなく、その回転後のページを含む通信単位のＦＡＸデータを、再印刷するので（Ｓ４１２）、先に印刷した通信単位の印刷出力から、再印刷したページを差し替える、という手間を省くことができる。
【００８０】
一方、ＣＰＵ１０は、Ｓ４０５の処理において、回転後のページも、かすれ領域に画像を含むと判断した場合（Ｓ４０５：Ｙｅｓ）、そのページは、図２に示すＳ２１２の処理で受付けたかすれ領域に画像を含むページであり、トナーエンプティが回復しなければ、良好な印刷品質で再印刷できないページである。
【００８１】
よって、この場合、ＣＰＵ１０は、Ｓ４０１で特定したＦＡＸデータのうち、他のページについては、Ｓ４０２〜Ｓ４０８の処理は実行せず、Ｓ４１４の処理に移行し、１０Ｎ通信目のＦＡＸデータでなければ（Ｓ４１４：Ｎｏ）、Ｓ４０１からの処理を繰り返し、１０通信目のＦＡＸデータであれば（Ｓ４１４：Ｙｅｓ）、本処理を終了する。
【００８２】
このように、ＣＰＵ１０は、回転後のページも、かすれ領域に画像を含むと判断した場合（Ｓ４０５：Ｙｅｓ）、そのページを含むＦＡＸデータは、ＦＡＸデータメモリ１４ａから削除しない。即ち、ＦＡＸデータ検索処理は（Ｓ２１３）、この削除されなかったＦＡＸデータを、抽出したＦＡＸデータとする。
【００８３】
そして、ＣＰＵ１０は、ＦＡＸデータ検索処理によって（Ｓ２１３）、抽出したＦＡＸデータ、即ち、ＦＡＸデータメモリ１４ａから削除されず、記憶されたままのＦＡＸデータを、図２のフローチャートで説明した通り、トナーニアエンプティが回復したことを条件に（Ｓ２１４：Ｙｅｓ）、再印刷する（Ｓ２１５）。よって、ＦＡＸデータメモリ１４ａに記憶しているＦＡＸデータの中から再印刷する印刷データを、手間なく、かつ、適切に抽出し、良好な印刷品質で再印刷することができる。
【００８４】
以上、実施形態に基づき本発明を説明したが、本発明は上述した実施形態に何ら限定されるものではなく、本発明の趣旨を逸脱しない範囲内で種々の改良変更が可能であることは容易に推察できるものである。
【００８５】
例えば、上述した実施形態では、プリンタ２１として、レーザー方式によって印刷用紙に画像を印刷する場合について説明したが、プリンタ２１は、例えば、ラインタイプのインクジェット方式によって印刷するものでも良い。
また、ラインタイプのインクジェット方式は、ノズルの詰まりなどの影響により、特定の領域にかすれが発生する可能性がある。よって、インクの吐出状態を回復するパージ動作が行われる。そのような装置においては、図２に示すＦＡＸデータ再印刷処理を次のように構成しても良い。つまり、ＦＡＸデータを受信し（図２のＳ２０１に相当）、受信したＦＡＸデータをすべて記憶し（図２のＳ２０４に相当）、テスト印刷データとともにかすれ領域特定用のマークＭを付加して印刷する（図２のＳ２０６及び２０７に相当）。そして、ＬＣＤ１６に表示したかすれ領域受付画面（図２のＳ２０８に相当）に基づき、ユーザからかすれ領域を受け付け、図２のＳ２０９〜Ｓ２１３の処理を実行する。そして、ユーザからの指示によりパージ動作およびテストプリントを実行し、ノズル詰まりなどが解消されたか否か、換言すれば、かすれ領域がなくなったか否かをユーザから受け付ける（図２のＳ２１４に相当）。解消されたことを受け付けた場合（図２のＳ２１４：ＹＥＳに相当）、記憶されているＦＡＸデータを再印刷し（図２のＳ２１５に相当）、削除する（図２のＳ２１６に相当）とよい。この場合、Ｓ２０２及びＳ２０３の処理は省略するとよい。このようにしても、本実施形態と同様な効果が得られる。
また、パージ動作が定期的に行われる場合には、図２に示すＦＡＸデータ再印刷処理におけるＳ２０２，Ｓ２１４を、次のように構成しても良い。尚、この場合、一の定期的なパージ動作が行われてから、次の定期的なパージ動作が実行されるまでの定期的な期間が計時されているものとする。そして、Ｓ２０２の処理では、計時されている定期的な期間になる前の所定タイミングになったかを判断する。この所定のタイミングになったかを契機としてＳ２０４以降に処理を移行する理由は、定期的なパージ動作の実行時期が近づく頃（上記所定のタイミング）には、ノズル詰まりの発生が起こる可能性が高くなっているからである。また、Ｓ２１４の処理では、次の定期的なパージが実行されたか、または、ユーザの指示によって強制的なパージ動作が実行されたかを判断する。このようにしても、本実施形態と同様な効果が得られる。
【００８６】
また、上述した実施形態では、ＭＦＰ１のＦＡＸ機能で扱うＦＡＸデータについて図２に示すＦＡＸデータ再印刷処理を行う場合について説明したが、このＦＡＸデータに代えて、ＭＦＰ１のプリンタ機能において、外部装置から送信される印刷データ、ＭＦＰ１のコピー機能において、原稿から読み取った印刷データ等について、図２に示すＦＡＸデータ再印刷処理を適用しても良い。かかる場合にも、本実施形態と同様な効果が得られる。
【００８７】
また、上述した実施形態では、ＦＡＸデータを再印刷する場合、通信単位で再印刷する場合について説明したが（図２のＳ２１５、図４のＳ４１２）、通信単位のＦＡＸデータの中でかすれ領域に画像を含むページだけ、あるいは、回転後のページだけを、再印刷しても良い。かかる場合は、トナー、印刷用紙等が無駄に消費されるのを防止できる。
【００８８】
また、上述した実施形態では、マークＭを１０Ｎ通信目の最終ページ下端に印刷する場合について説明したが、マークＭを印刷する印刷用紙は、１０Ｎ通信目の最終ページではなく別の印刷用紙でも良い。また、両面印刷機能があれば、１０Ｎ通信目の最終ページの裏面に印刷しても良い。この場合は、マークＭによって、１０Ｎ通信目の最終ページに印刷される画像が見え難くなるのを、防止できる。
【００８９】
更に、必ずしも、マークＭを印刷用紙に印刷しなくても良い。例えば、１０Ｎ通信目の最終ページをＬＣＤ１６に表示し、１０Ｎ通信目の最終ページの印刷出力から、ユーザにかすれた部分をタッチしてもらい、そのタッチされた部分を含む所定領域を、かすれ領域として受付けても良い。この場合は、トナー、印刷用紙等の消耗を防止することができると共に、マークＭによって、１０Ｎ通信目の最終ページに印刷される画像が見え難くなるのも、防止できる。
【符号の説明】
【００９０】
１          ＭＦＰ（印刷装置の一例）
２３        ＮＣＵ（取得手段の一例）
２４        モデム（取得手段の一例）
２１        プリンタ（印刷手段の一例）
１４ａ      ＦＡＸデータメモリ（記憶部の一例）
Ｓ２０１    取得手段の一例
Ｓ２０４    記憶手段の一例
Ｓ２０７    印刷手段の一例
Ｓ２１２    受付手段の一例
Ｓ２１３    抽出手段の一例
Ｓ２１５    第１再印刷手段の一例
【図１】
2012210735.tif 000003
【図２】
2012210735.tif 000004
【図４】
2012210735.tif 000005
【図５】
2012210735.tif 000006
【図３】
2012210735.tif 000007